(57)【要約】【課題】放送における広告情報による広告宣伝効果の向上を図ること。【解決手段】視聴者のユーザ端末にネットワークを介して接続された情報処理装置であって、所定の放送を受信して視聴者に対して出力する放送受信装置に広告情報と共に出力されたアドレスデータに対するアクセスをユーザ端末から受け付けるアクセス受付手段と、ユーザ端末からのアクセス状況に基づいて広告情報の放送依頼情報を生成する放送依頼情報生成手段と、この生成した放送依頼情報を広告情報を出力する放送局のコンピュータに対して送信する放送依頼情報送信手段と、を備えた。【選択図】図１
2007266831.tif 000002
【特許請求の範囲】
【請求項１】
視聴者のユーザ端末にネットワークを介して接続された情報処理装置であって、
所定の放送を受信して前記視聴者に対して出力する放送受信装置に広告情報と共に出力されたアドレスデータに対するアクセスを前記ユーザ端末から受け付けるアクセス受付手段と、前記ユーザ端末からのアクセス状況に基づいて前記広告情報の放送依頼情報を生成する放送依頼情報生成手段と、この生成した放送依頼情報を前記広告情報を出力する放送局のコンピュータに対して送信する放送依頼情報送信手段と、
を備えたことを特徴とする情報処理装置。
【請求項２】
前記放送依頼情報生成手段は、前記広告情報毎のアクセス状況に基づいて前記放送依頼情報を生成する、ことを特徴とする請求項１記載の情報処理装置。
【請求項３】
前記アクセス受付手段は、前記ユーザ端末から前記広告情報に対する所定の要求内容を表す要求情報を受け付け、
前記放送依頼情報生成手段は、前記要求情報に基づいて前記放送依頼情報を生成する、
ことを特徴とする請求項２記載の情報処理装置。
【請求項４】
前記放送依頼情報生成手段は、前記要求情報毎に予め設定された重みを付加して前記広告情報毎の有効度情報を算出し、この有効度情報に基づいて前記放送依頼情報を生成する、ことを特徴とする請求項３記載の情報処理装置。
【請求項５】
前記アクセス受付手段は、前記広告情報毎のアクセス数をカウントし、
前記放送依頼情報生成手段は、前記広告情報毎のアクセス数に基づいて前記放送依頼情報を生成する、
ことを特徴とする請求項３又は４記載の情報処理装置。
【請求項６】
前記アクセス受付手段は、前記広告情報毎に用意された複数のウェブページに対するアクセス要求を受け付け、各ウェブページ毎のアクセス数をカウントし、
前記放送依頼情報生成手段は、前記広告情報毎の各ウェブページに対するアクセス数に基づいて前記放送依頼情報を生成する、
ことを特徴とする請求項３，４又は５記載の情報処理装置。
【請求項７】
前記広告情報は、テレビＣＭであり、
前記アドレスデータは、前記放送受信装置であるテレビに前記テレビＣＭと共に表示され、前記ユーザ端末にて撮影されることにより取り込み可能な画像データである、
ことを特徴とする請求項１，２，３，４，５又は６記載の情報処理装置。
【請求項８】
前記アドレスデータである画像データは、ＱＲコードである、ことを特徴とする請求項７記載の情報処理装置。
【請求項９】
視聴者のユーザ端末にネットワークを介して接続された情報処理装置に、
所定の放送を受信して前記視聴者に対して出力する放送受信装置に広告情報と共に出力されたアドレスデータに対するアクセスを前記ユーザ端末から受け付けるアクセス受付手段と、アクセス状況に基づいて前記広告情報の放送依頼情報を生成する放送依頼情報生成手段と、この生成した放送依頼情報を前記広告情報を出力する放送局のコンピュータに対して送信する放送依頼情報送信手段と、
を実現させるためのプログラム。
【請求項１０】
請求項１乃至８記載の情報処理装置と、この情報処理装置にネットワークを介して接続された前記広告情報の放送状況を管理する放送局のコンピュータと、を備えた広告放送管理システムであって、
前記放送局のコンピュータは、前記情報処理装置から前記放送依頼情報を受け付けて、当該放送依頼情報に基づいて放送状況を管理する放送状況管理手段を備えた、
ことを特徴とする広告放送管理システム。
【請求項１１】
請求項１乃至８記載の情報処理装置にネットワークを介して接続された前記広告情報の放送状況を管理する放送局のコンピュータであって、
前記情報処理装置から前記放送依頼情報を受け付けて、当該放送依頼情報に基づいて放送状況を管理する放送状況管理手段を備えた、
ことを特徴とする放送局のコンピュータ。
【請求項１２】
視聴者のユーザ端末にネットワークを介して接続された情報処理装置により、広告情報を放送依頼する方法であって、
所定の放送を受信して前記視聴者に対して出力する放送受信装置に広告情報と共に出力されたアドレスデータに対するアクセスを前記ユーザ端末から受け付けるアクセス受付工程と、アクセス状況に基づいて前記広告情報の放送依頼情報を生成する放送依頼情報生成工程と、この生成した放送依頼情報を前記広告情報を出力する放送局のコンピュータに対して送信する放送依頼情報送信工程と、
を有することを特徴とする広告放送依頼方法。
【発明の詳細な説明】
【技術分野】
【０００１】
本発明は、情報処理装置にかかり、特に、放送局に対して広告情報の放送を依頼する情報処理装置に関する。
【背景技術】
【０００２】
インターネットの普及により、インターネット上のウェブサイトからユーザ個人の携帯電話やパソコンにて、種々の商品・サービス情報を得ることが一般的に行われている。そして、最近では、雑誌などの紙媒体に印刷されたＱＲコード（２次元バーコード）を携帯電話に読み取らせて、かかるＱＲコードに含まれるＵＲＬ（アドレス）にアクセスし、商品情報を入手する、といった利用も行われている。
【０００３】
さらに、上記技術を応用して、下記の特許文献１には、ＴＶのＣＭ広告の影響力を生かして、ＴＶ画面にＱＲコードを表示し、ＣＭの詳細情報を知りたい視聴者がＱＲコードを携帯電話で撮影して読み取り、かかるＱＲコードに基づいてウェブ上のサイトにアクセスして詳細情報を入手する、という方法が提案されている。
【０００４】
一方、上述した従来技術は、視聴者に対してＣＭの詳細情報を提供し、当該視聴者の利便性の向上を図るための技術であるが、ＣＭ提供者や放送局側の利便性を考慮した技術が下記特許文献２に提案されている。具体的には、視聴者の放送受信端末で受信された番組に関連する番組受信情報及び視聴者情報から構成される視聴情報を収集して、かかる情報を広告主や放送局に提供し、今後のＣＭ編成に活かす、ということが提案されている。
【０００５】
【特許文献１】特開２００５−３３３４０２号公報
【特許文献２】特開２００２−３４４９３３号公報
【発明の開示】
【発明が解決しようとする課題】
【０００６】
しかしながら、上記特許文献１の技術では、収集した情報を活かす手段が開示されておらず、また、特許文献２の技術では、収集した情報を広告主や放送局に提供するだけであって、その後、どのように活用していくかは、広告主や放送局の判断にゆだねられるため、即時に視聴者の反応をＣＭに反映することができない。このため、視聴者に対する宣伝タイミングを逃しかねない、という問題が生じる。さらには、特許文献２の技術では、放送受信端末に、自動的に視聴情報が送信される機能が装備されていなければならず、設備コストが増大しうる。
【０００７】
このため、本発明では、上記従来例の有する不都合を改善し、特に、放送される広告情報による広告宣伝効果の向上を図ることをその目的とする。
【課題を解決するための手段】
【０００８】
そこで、本発明の一形態である情報処理装置は、
視聴者のユーザ端末にネットワークを介して接続された情報処理装置であって、
所定の放送を受信して視聴者に対して出力する放送受信装置に広告情報と共に出力されたアドレスデータに対するアクセスをユーザ端末から受け付けるアクセス受付手段と、ユーザ端末からのアクセス状況に基づいて広告情報の放送依頼情報を生成する放送依頼情報生成手段と、この生成した放送依頼情報を広告情報を出力する放送局のコンピュータに対して送信する放送依頼情報送信手段と、
を備えたことを特徴としている。
【０００９】
上記発明によると、まず、情報処理装置は、テレビなどの視聴者からＣＭと共に出力されたアドレスデータに基づくユーザ端末からのアクセスを受け付けることにより、ＣＭに対する視聴者の反響等の情報を得ることができる。そして、情報処理装置は、受け付けたアクセス情報に基づいて放送依頼情報を生成し、この依頼情報を放送局に対して送信する。従って、視聴者による反応に基づくＣＭの放送依頼を迅速に放送局に通知することができるため、放送局は現在の視聴者に応じたＣＭを放送することができ、広告宣伝効果の向上を図ることができる。
【００１０】
そして、放送依頼情報生成手段は、広告情報毎のアクセス状況に基づいて放送依頼情報を生成する、ことを特徴としている。このとき、アクセス受付手段は、ユーザ端末から広告情報に対する所定の要求内容を表す要求情報を受け付け、放送依頼情報生成手段は、要求情報に基づいて放送依頼情報を生成する、ことを特徴としている。さらに、放送依頼情報生成手段は、要求情報毎に予め設定された重みを付加して広告情報毎の有効度情報を算出し、この有効度情報に基づいて放送依頼情報を生成する、ことを特徴としている。
【００１１】
例えば、アクセス受付手段は、広告情報毎のアクセス数をカウントし、放送依頼情報生成手段は、広告情報毎のアクセス数に基づいて放送依頼情報を生成する、ことを特徴としている。さらには、アクセス受付手段は、広告情報毎に用意された複数のウェブページに対するアクセス要求を受け付け、各ウェブページ毎のアクセス数をカウントし、放送依頼情報生成手段は、広告情報毎の各ウェブページに対するアクセス数に基づいて放送依頼情報を生成する、ことを特徴としている。
【００１２】
このように、視聴者からのアクセス状況に基づいてＣＭの放送依頼情報を生成するため、視聴者の反応に適切に対応したＣＭを放送することができる。特に、視聴者からのウェブサイトに対する閲覧要求（アクセス数）や商品購入要求などの種々の要求を考慮して放送依頼情報を生成することで、さらなる広告宣伝効果の向上を図ることができる。
【００１３】
また、広告情報は、テレビＣＭであり、アドレスデータは、放送受信装置であるテレビにテレビＣＭと共に表示され、ユーザ端末にて撮影されることにより取り込み可能なＱＲコードなどの画像データである、ことを特徴としている。
【００１４】
これにより、視聴者はユーザ端末にてテレビに表示されるＱＲコードなどの画像データを撮影することで、容易にアクセスできる。従って、情報処理装置側としては、より多くの視聴者からの反応を得ることができ、より適切な放送依頼情報を生成することができる。
【００１５】
また、本発明の他の形態であるプログラムは、視聴者のユーザ端末にネットワークを介して接続された情報処理装置に、所定の放送を受信して視聴者に対して出力する放送受信装置に広告情報と共に出力されたアドレスデータに対するアクセスをユーザ端末から受け付けるアクセス受付手段と、アクセス状況に基づいて広告情報の放送依頼情報を生成する放送依頼情報生成手段と、この生成した放送依頼情報を広告情報を出力する放送局のコンピュータに対して送信する放送依頼情報送信手段と、を実現させる、ことを特徴としている。
【００１６】
また、本発明の他の形態である広告放送管理システムは、
上述した情報処理装置と、この情報処理装置にネットワークを介して接続された広告情報の放送状況を管理する放送局のコンピュータと、を備えた広告放送管理システムであって、
放送局のコンピュータは、情報処理装置から放送依頼情報を受け付けて、当該放送依頼情報に基づいて放送状況を管理する放送状況管理手段を備えた、
ことを特徴としている。
【００１７】
さらに、本発明の他の形態である広告放送依頼方法は、
視聴者のユーザ端末にネットワークを介して接続された情報処理装置により、広告情報を放送依頼する方法であって、
所定の放送を受信して視聴者に対して出力する放送受信装置に広告情報と共に出力されたアドレスデータに対するアクセスをユーザ端末から受け付けるアクセス受付工程と、アクセス状況に基づいて広告情報の放送依頼情報を生成する放送依頼情報生成工程と、この生成した放送依頼情報を広告情報を出力する放送局のコンピュータに対して送信する放送依頼情報送信工程と、
を有することを特徴としている。
【００１８】
上述したプログラムやシステム、方法の発明によると、上記情報処理装置と同様の作用を有するため、上述した本発明の目的を達成することができる。
【発明の効果】
【００１９】
本発明は、以上のように構成され機能するので、これによると、視聴者から広告情報と共に出力されたアドレスデータに基づくアクセスを受け付けることにより、広告情報に対する反響等の情報を得ることができるため、これに基づく広告放送依頼を生成して、迅速に放送局に通知することができ、放送局は現在の視聴者に適切に対応した広告放送実現できる。その結果、広告宣伝効果の向上を図ることができる、という従来にない優れた効果を有する。
【発明を実施するための最良の形態】
【００２０】
本発明は、視聴者によるテレビ放送などのＣＭに含まれるアドレスへのアクセスに応じて、ＣＭ放送を放送局に依頼する、という点に特徴を有する。以下、実施例では、テレビ放送におけるＣＭを対象に説明するが、ラジオ放送にも利用可能である。
【実施例１】
【００２１】
本発明の第１の実施例を、図１乃至図１２を参照して説明する。図１乃至図７は、本発明の構成を示す図であり、図８乃至図１２は、本発明の動作を説明するための説明図である。
【００２２】
［構成］
広告放送管理システムは、図１のブロック図を示すように、テレビＣＭの提供者が管理するＣＭ提供者サーバ１（情報処理装置）と、テレビ放送局が管理するＴＶ局サーバ２（放送局のコンピュータ）と、視聴者が管理する携帯電話４（ユーザ端末）と、を備え、ネットワークＮを介して接続されている。また、ＴＶ局サーバ２は、アンテナ３を介してテレビ番組及びテレビＣＭを放送し、これを視聴者のテレビ５（放送受信装置）が受信する構成になっている。以下、各構成について詳述する。
【００２３】
携帯電話４は、テレビ５の視聴者が操作する携帯電話であり、図２のブロック図に示すように、通話及びデータ通信機能を実現するための通信部４１と、画像を撮影するカメラ４２と、を備えている。また、演算装置には、所定のプログラムが組み込まれることで、ウェブ閲覧処理部４３と、ＱＲコード読取処理部４４と、が構築されている。ＱＲコード読取処理部４４は、後述するようにテレビＣＭの画面に表示されたＱＲコードを撮影して、その内容を読み取る機能を有する。そして、ＱＲコードには、表示されたテレビＣＭに関する詳細情報が公開されているウェブページへのＵＲＬデータ（アドレスデータ）が組み込まれており、かかるＵＲＬデータはウェブ閲覧処理部４３に通知される。ウェブ閲覧処理部４３は、上記ＱＲコードに含まれているＵＲＬデータに基づいて、データ通信にてＣＭ提供者サーバ１にアクセス要求を行い、ＣＭの詳細情報が公開されているウェブページ（トップページ）にアクセスする。また、ウェブページの表示画面に従ってさらなる詳細情報が公開されているページ（子ページ）にアクセス要求し、かかるページを閲覧することも可能である。さらには、ウェブページ上からテレビＣＭにかかる商品あるいはその他の商品の購入要求を行ったり、パンフレット要求、所定の特典が受けられる所定の会への入会要求、などの種々の要求を行うことができる。
【００２４】
次に、上記携帯電話４を操作する視聴者によって視聴されるテレビ５について説明する。テレビ５（放送受信装置）は、一般的なテレビであり、テレビ局によってアンテナ３を介して送信されるテレビ番組を受信して画面に表示する。このとき、テレビ番組にはＣＭ提供者（スポンサー）から提供される広告情報であるテレビＣＭが含まれており、かかるテレビＣＭも画面に表示されることとなる。例えば、図８には、ある商品のテレビＣＭ５１の表示状態を示しているが、番組放送中に、同一商品の内容の異なるテレビＣＭ５２，５３も放送される。そして、本実施例では、さらに、テレビＣＭ５１内に、上述したＣＭにかかる商品の詳細情報が公開されているウェブページ（トップページ）へのＵＲＬ（アドレスデータ）が組み込まれたＱＲコード（２次元バーコード（画像データ））が表示される。
【００２５】
次に、ＣＭ提供者サーバ１について詳述する。ＣＭ提供者サーバ１は、ＣＰＵといった演算装置（図示せず）と、ハードディスクなどの記憶装置（図示せず）と、を備えた一般的なサーバコンピュータである。そして、図３に示すように、演算装置には、所定のプログラムが組み込まれることにより、ＣＭ情報提供処理部１１と、アクセス受付処理部１２と、ＣＭ依頼情報処理部１３と、ＣＭ依頼情報送信処理部１４と、が構築されている。また、記憶装置には、ＣＭ詳細情報記憶部１５と、アクセス情報記憶部１６と、ＣＭ依頼情報記憶部１７と、が形成されている。
【００２６】
アクセス受付処理部１２（アクセス受付手段）は、携帯電話４から上記ＱＲコードに基づくアクセスを受け付け、テレビＣＭ毎のアクセス状況を集計し、アクセス情報記憶部１６に記憶する機能を有する。具体的には、ＣＭ情報提供処理部１１と協働して、最初のアクセス要求受付時には、ＣＭ詳細情報記憶部１５に記憶されたトップページを携帯電話４のウェブブラウザに表示するよう送信し、かかるトップページへのアクセス数をカウントする。そして、トップページからリンクされている子ページへのアクセス要求を携帯電話４から受け付けると、当該子ページを携帯電話４に送信し、かかる子ページに対するアクセス数をカウントする。さらには、ウェブページ上にてテレビＣＭにかかる商品やサービスあるいはその他の商品やサービスの購入が可能である場合であって、これらの購入要求を携帯電話４から受け付けて、購入手続き処理を行うと共に、商品毎の購入数をカウントする。同様に、パンフレット要求や、所定の特典が受けられる所定の会への入会要求などの種々の要求を携帯電話４から受け付けて、それぞれの要求受付数をカウントする。そして、上述したようにカウントされた値を、アクセス情報記憶部１６に格納しておく。例えば、図５に示すように、ＣＭの種類３６１ごとのアクセス数３６３を記憶する。このとき、ＣＭの放送日時３６２や、備考３６４として上述したようにカウントされた購入数などが記憶される。
【００２７】
ＣＭ依頼情報生成処理部１３（放送依頼情報生成手段）は、上記アクセス情報記憶部１６に格納したアクセス状況、つまり、各ウェブページへのアクセス数や購入数などに基づいて、テレビ局に放送してもらいたいＣＭを特定し当該テレビ局に通知するためのＣＭ放送依頼情報を生成し、ＣＭ依頼情報記憶部１７に記憶する。例えば、上述したようにトップページへのアクセス数、各子ページへのアクセス数、商品購入数、などの携帯電話４からの各要求数、さらには、ＣＭ提供者が予め調査などにより設定したマーケティング情報を表す値に、それぞれ予め設定された重みを付加して、これらの和を算出する。ここでは、この算出された値をＣＭ有効度情報とする。
【００２８】
具体的には、ＣＭ有効度＝（各ページのアクセス数×各ページのアクセス数の重み）＋（購入数×購入数の重み）＋（他の要素×他の要素の重み）＋（マーケティング情報×マーケティング情報の重み）によって算出される。そして、新たに算出されたＣＭ有効度と、現在設定されているＣＭ有効度とを比較して、算出されたＣＭ有効度の値が大きい場合に、視聴者が閲覧しているＣＭが現在有効であると判断し、このＣＭを放送依頼ＣＭとして決定し、ＣＭ放送依頼情報に設定する。例えば、図６に示すように、会社コード３７１とＣＭの種類３７３と言ったＣＭを特定する情報を含めたＣＭ放送依頼情報を生成する。なお、この例では、現在よりも後の時刻であって、視聴者が視聴を続けているであろう近い日時（５分後や１０分後など）を放送予定日時３７２として設定した情報も含めている。なお、上述したＣＭ放送依頼情報の生成手法は一例であって、他の手法にて生成してもよい。
【００２９】
ＣＭ依頼情報送信処理部１４（放送依頼情報送信手段）は、上記のように生成されＣＭ依頼情報記憶部１７に記憶されたＣＭ放送依頼情報を、ＴＶ局サーバ２に送信する機能を有する。
【００３０】
なお、上述したＣＭ放送依頼情報の生成や送信などの処理は、携帯電話４からのアクセスを受けてアクセス情報が更新される毎に実行され、あるいは、一定の時間が経過する毎に実行され、視聴者の反応に対応してほぼリアルタイムにＴＶ局サーバ２に送信されるようになっている。
【００３１】
次に、ＴＶ局サーバ２について説明する。ＴＶ局サーバ２は、テレビ局が管理するサーバコンピュータであって、テレビ番組やＣＭの放送制御を行うサーバコンピュータである。そして、そのＣＰＵなどの演算装置には、所定のプログラムが組み込まれることで、ＣＭ放送処理部２１と、放送テーブル管理処理部２２と、が構築されており、ＣＭ提供者サーバ１から送信されたＣＭ放送依頼情報を受け付けて、かかるＣＭ放送送依頼情報に基づいて放送状況を管理する放送状況管理手段として機能する。また、ハードディスクなどの記憶装置には、ＣＭデータ記憶部２３と、放送テーブル記憶部２４と、が形成されている。
【００３２】
具体的に、放送テーブル管理処理部２２は、ＣＭ提供者サーバ１から受信したＣＭ放送依頼情報に基づいて、ＣＭの放送予定を表す放送テーブル記憶部２４に記憶された放送テーブルを更新する。この放送テーブルは、例えば、図７に示すように、放送予定日時４５１、会社コード４５２、ＣＭの種類４５３などを有する。そして、この放送テーブルに従って、ＣＭ放送処理部２１がＣＭを放送する。このとき、ＣＭデータは、ＣＭデータ記憶部２３に記憶されている。
【００３３】
但し、上記ＴＶ局サーバ２には、ＣＭ放送処理部２１が備えられていなくてもよく、更新された放送テーブルに基づいて、人間がＣＭ放送処理を実行してもよい。
【００３４】
［動作］
次に、上述したシステムの動作を、図８乃至図９の説明図、図１０のシーケンス図、図１１乃至図１２のフローチャートを参照して説明する。
【００３５】
まず、ＴＶ局サーバ２からテレビＣＭが放送され（図９の（１）、図１０のステップＳ１）、視聴者のテレビ５にて受信される。すると、テレビ５には、図８に示すように、テレビＣＭ５１と共に、ＱＲコード５５が表示される（図１０のステップＳ２）。そして、視聴者は、テレビＣＭ５１にかかる商品に興味を持ち、その詳細情報が知りたい場合には、携帯電話４を操作してテレビ５に表示されたＱＲコード５５を撮影し（図１０のステップＳ３）、その内容を読み取る（図９の（２））。その後、ＱＲコード５５に含まれるＵＲＬに基づいて、ＣＭ提供者サーバ１が公開するウェブページにアクセスし（図１０のステップＳ４）、携帯電話４でＣＭの詳細情報を閲覧する（図９の（３））。
【００３６】
すると、ＣＭ提供者サーバ１は、アクセスしてきた視聴者の携帯電話４に対してＣＭの詳細情報を表示し、その際の視聴者のアクセス情報を格納する（図１０のステップＳ５、アクセス受付工程）。このときの具体的な動作を、図１１を参照して説明する。まず、携帯電話４からトップページへのアクセスを受け付けると（ステップＳ１１）、かかるトップページへのアクセス数をカウントする（ステップＳ１２）。続いて、トップページからリンクされている子ページへのアクセス要求を携帯電話４から受け付けると（ステップＳ１３にてイエス）、当該子ページを携帯電話４に送信し、かかる子ページに対するアクセス数をカウントする（ステップＳ１４）。さらに、ウェブページ上にてテレビＣＭにかかる商品やサービスあるいはその他の商品やサービスの購入要求を携帯電話４から受け付けると（ステップＳ１５にてイエス）、購入手続き処理を行うと共に、商品毎の購入数をカウントする（ステップＳ１６）。同様に、パンフレット要求や、所定の特典が受けられる所定の会への入会要求などの種々の要求を携帯電話４から受け付けると（ステップＳ１７にてイエス）、それぞれの要求数をカウントする（ステップＳ１８）。そして、上述したようにカウントされた値を、アクセス情報記憶部１６に格納しておく。
【００３７】
そして、上述した動作は、テレビＣＭ５１の他の視聴者からのアクセスに対しても実行される。すると、図５に示すように、テレビＣＭ５１のアクセス情報は更新される。
【００３８】
さらに、上述した動作は、ＴＶ局サーバ２が、同じ商品で別のテレビＣＭ５２、５３を放送したときにも実行される。つまり、異なるテレビＣＭ毎に、視聴者の反応であるアクセス数などのアクセス情報が集計される。これにより、それぞれのテレビＣＭに対する視聴者の反応が得られる。
【００３９】
その後、ＣＭ提供者サーバ１では、ＣＭ毎にＣＭ有効度を算出し、これに基づいてＣＭ放送依頼情報を生成する（図１０のステップ６、放送依頼情報生成工程）。具体的な動作を、図１２を参照して説明する。まず、上述したように集計されたアクセス情報が全て読み取られる（ステップＳ２１，Ｓ２２，Ｓ２３）。そして、これらの値に対してそれぞれに予め設定された重みが付加されて、その和がＣＭ有効度して算出される（ステップＳ２４）。その後、新たに算出されたＣＭ有効度と、基準値となる現在の有効度と、を比較して（ステップＳ２５）、基準値以上となったテレビＣＭを、ある時間帯における適切なテレビＣＭとして決定し（ステップＳ２６）、ＣＭ放送依頼情報を作成する（ステップＳ２７）。例えば、テレビＣＭ５１，５２，５３についてＣＭ有効度が算出され、テレビＣＭ５１のみが基準値を上回った場合には、当該テレビＣＭ５１の放送を依頼するＣＭ放送依頼情報が生成される。
【００４０】
その後、図７に示すような作成されたＣＭ放送依頼情報は、テレビ局のＴＶ局サーバ２に送信される（図９の（４）、図１０のステップ７、放送依頼情報送信工程）。
【００４１】
すると、ＴＶ局サーバ２は、受け付けたＣＭ放送依頼情報に従って、放送テーブルを更新する（図１０のステップＳ８）。そして、この更新された放送テーブルに従って、放送するＣＭを決定し、テレビＣＭを放送する（図９の（５））。
【００４２】
これにより、視聴者の反響が大きいテレビＣＭの放送依頼が、迅速に、例えば、ほぼリアルタイムに、ＴＶ局に通知されることとなり、かかるテレビＣＭを頻繁に放送させることも可能となる。従って、テレビ局は現在の視聴者に適切に対応したＣＭを放送することができ、広告宣伝効果の向上を図ることができる。
【００４３】
ここで、上記では、テレビＣＭに対する視聴者の反応を、ＱＲコードに基づくウェブサイトへのアクセスによって収集したが、ＱＲコードを用いてウェブサイトにアクセスさせることに限定されない。つまり、ＣＭ画面に必ずしもＱＲコードを表示させる必要は無く、ＵＲＬ自体を表示させてもよい。また、放送がラジオである場合には、ＵＲＬなどのアドレスデータを音声にて視聴者に伝えてもよい。
【実施例２】
【００４４】
次に、本発明の第２の実施例を、図１３乃至図１４を参照して説明する。本実施例では、上述した視聴者の反響を、ＣＭ中のアンケートにより収集する、という構成となっている。具体的には、最初に放送されるＣＭ６がある場合に、図１４に示すように、テレビＣＭ６上に２つのＱＲコード７１，７２を表示する。なお、２つのＱＲコード７１，７２は、それぞれがＣＭ６１、ＣＭ６２のいずれかに対応しており、その判断材料は例えばＣＭ６中に表示される。そして、一方のＱＲコードが視聴者の携帯電話４にて撮影されて、ＣＭ提供者サーバ１にアクセス要求がなされると、そのアクセス要求されたＣＭのアクセス数がカウントされる。そして、アクセス数の集計の結果、例えば、ＣＭ６１に対するアクセス数が多ければ、かかるＣＭ６１の放送依頼情報を生成し、ＴＶ局サーバ２に送信する。これにより、数分後には、ＣＭ６１が放送される。
【００４５】
その後、放送されるＣＭには、さらに、２つの異なるＣＭに対応する２つのＱＲコードが表示され、視聴者のアクセス要求を受け付ける。その結果に応じて、例えば、図１３に示すように、ＣＭ６１２、ＣＭ６１３のどちらが放送されることとなる。
【００４６】
このようにすることで、テレビＣＭのように非常に短い時間の放送であっても、視聴者へのアンケートによって分岐、結末が決まる形式のＣＭ放送が可能となり、広告宣伝効果の向上を図ることができると共に、視聴者がＣＭを楽しむことも可能となる。
【産業上の利用可能性】
【００４７】
本発明は、テレビなどのＣＭを提供するＣＭ提供者が、視聴者の反応を調べるために利用することができ、産業上の利用可能性を有する。
【図面の簡単な説明】
【００４８】
【図１】広告放送管理システムの構成を示すブロック図である。
【図２】携帯電話の構成を示す機能ブロック図である。
【図３】ＣＭ提供者サーバの構成を示す機能ブロック図である。
【図４】ＴＶ局サーバの構成を示す機能ブロック図である。
【図５】ＣＭ提供サーバに記憶されるアクセス情報の一例を示す図である。
【図６】ＣＭ提供サーバにて生成されるＣＭ依頼情報の一例を示す図である。
【図７】ＴＶ局サーバに記憶される放送テーブルの一例を示す図である。
【図８】テレビにＣＭが表示されたときの様子を示す説明図である。
【図９】システム全体の動作を示す説明図である。
【図１０】システム全体の動作を示すシーケンス図である。
【図１１】ＣＭ提供サーバの動作の一部を示すフローチャートである。
【図１２】ＣＭ提供サーバの動作の一部を示すフローチャートである。
【図１３】実施例２におけるＣＭの放送遷移状態を示す説明図である。
【図１４】実施例２におけるテレビにＣＭが表示されたときの様子を示す説明図である。
【符号の説明】
【００４９】
１  ＣＭ提供者サーバ
２  ＴＶ局サーバ
３  アンテナ
４  携帯電話
５  テレビ
１１  ＣＭ情報提供処理部
１２  アクセス受付処理部
１３  ＣＭ依頼情報生成処理部
１４  ＣＭ依頼情報送信処理部
１５  ＣＭ詳細情報記憶部
１６  アクセス情報記憶部
１７  ＣＭ依頼情報記憶部
２１  ＣＭ放送処理部
２２  放送テーブル管理処理部
２３  ＣＭデータ記憶部
２４  放送テーブル記憶部
４１  通信部
４２  カメラ
４３  ウェブ閲覧処理部
４４  ＱＲコード読取処理部
５１，５２，５３  テレビＣＭ
５５  ＱＲコード
【図１】
2007266831.tif 000003
【図２】
2007266831.tif 000004
【図３】
2007266831.tif 000005
【図４】
2007266831.tif 000006
【図５】
2007266831.tif 000007
【図６】
2007266831.tif 000008
【図７】
2007266831.tif 000009
【図８】
2007266831.tif 000010
【図９】
2007266831.tif 000011
【図１０】
2007266831.tif 000012
【図１１】
2007266831.tif 000013
【図１２】
2007266831.tif 000014
【図１３】
2007266831.tif 000015
【図１４】
2007266831.tif 000016